(57)【要約】【課題】ネットワーク・インフラストラクチャ・デバイスとのネットワーク管理情報交換のために、移動セルラー通信デバイスによるセルラー通信規格の使用を提供すること。【解決手段】一例での装置の移動セルラー通信デバイスは、１つまたは複数のネットワーク・インフラストラクチャ・デバイスのネットワーク管理情報の１つまたは複数の部分を、１つまたは複数のセルラー通信規格のうちの１つまたは複数で使用可能な、ネットワーク・インフラストラクチャ・デバイスと交換するために、１つまたは複数のセルラー通信規格を使用する。【選択図】図１
2004304805.tif 000002
【特許請求の範囲】
【請求項１】
１つまたは複数のネットワーク・インフラストラクチャ・デバイスのネットワーク管理情報の１つまたは複数の部分を、１つまたは複数のセルラー通信規格のうちの１つまたは複数で使用可能な、ネットワーク・インフラストラクチャ・デバイスと交換するために、１つまたは複数のセルラー通信規格を使用する、移動セルラー通信デバイスを含む装置。
【請求項２】
１つまたは複数のセルラー通信規格のうちの１つまたは複数は、ユニバーサル移動電話システム（「ＵＭＴＳ」）規格に適合し、
移動セルラー通信デバイスは、ネットワーク管理情報の１つまたは複数の部分を、ネットワーク・インフラストラクチャ・デバイスと交換するために、ＵＭＴＳ規格に適合する１つまたは複数のセルラー通信規格のうちの１つまたは複数を使用する、請求項１に記載の装置。
【請求項３】
ネットワーク・インフラストラクチャ・デバイスと協働して、ネットワーク・インフラストラクチャ・デバイスは、ネットワーク管理情報の１つまたは複数の部分を、移動セルラー通信デバイスと交換するために、ＵＭＴＳ規格に適合する１つまたは複数のセルラー通信規格のうちの１つまたは複数を使用する、請求項２に記載の装置。
【請求項４】
移動セルラー通信デバイスは、ユーザが、１つまたは複数の使用可能プロシージャから１つまたは複数の選択されたプロシージャを選択するために、１つまたは複数のテキスト、グラフィック、および音声のインターフェースを使用できるようにする働きをする、ユーザ・インターフェースを含み、
移動セルラー通信デバイスは、１つまたは複数の選択されたプロシージャのうちの１つまたは複数の実行に基づいて、１つまたは複数のネットワーク・インフラストラクチャ・デバイスのうちの１つまたは複数に関する１つまたは複数の管理オペレーションを実行する、請求項１に記載の装置。
【請求項５】
ネットワーク管理情報の１つまたは複数の部分は、ネットワーク管理情報の複数の部分を含み、
ネットワーク管理情報の複数の部分のうちの１つまたは複数の部分は、１つまたは複数の選択されたプロシージャのうちの１つまたは複数の実行に関する１つまたは複数の要求を含み、
移動セルラー通信デバイスは、１つまたは複数の選択されたプロシージャのうちの１つまたは複数を実行させるために、１つまたは複数の要求をネットワーク・インフラストラクチャ・デバイスに送る、請求項４に記載の装置。
【請求項６】
ネットワーク管理情報の１つまたは複数の部分は、ネットワーク管理情報の複数の部分を含み、
ネットワーク管理情報の複数の部分のうちの１つまたは複数の部分は、１つまたは複数の選択されたプロシージャのうちの１つまたは複数の実行からの１つまたは複数の結果を含み、
移動セルラー通信デバイスのユーザ・インターフェースは、ユーザが、１つまたは複数の結果を受け取るために、１つまたは複数のテキスト、グラフィック、および音声のインターフェースのうちの１つまたは複数を使用できるようにする働きをする、請求項４に記載の装置。
【請求項７】
１つまたは複数の選択されたプロシージャのうちの１つまたは複数は、１つまたは複数の選択されたプロシージャのうちの１つまたは複数のうちの１つまたは複数の実行のために、１つまたは複数のパラメータを使用し、
ユーザ・インターフェースは、ユーザが、１つまたは複数のパラメータを入力するために、１つまたは複数のテキスト、グラフィック、および音声のインターフェースのうちの１つまたは複数を使用できるようにする働きをし、
ネットワーク管理情報の１つまたは複数の部分は、ネットワーク管理情報の複数の部分を含み、ネットワーク管理情報の複数の部分のうちの１つまたは複数の部分は、１つまたは複数のパラメータを含み、
移動セルラー通信デバイスは、１つまたは複数の選択されたプロシージャのうちの１つまたは複数のうちの１つまたは複数の実行において使用するために、１つまたは複数のパラメータをネットワーク・インフラストラクチャ・デバイスに送る、請求項４に記載の装置。
【請求項８】
移動セルラー通信デバイスは、ネットワーク・インフラストラクチャ・デバイスの１つまたは複数の管理およびサービスのために、ネットワーク管理情報の１つまたは複数の部分のうちの１つまたは複数を使用する、請求項１に記載の装置。
【請求項９】
ネットワーク管理情報の１つまたは複数の部分は、ネットワーク管理情報の１つまたは複数の第１の部分およびネットワーク管理情報の１つまたは複数の第２の部分を含み、ネットワーク・インフラストラクチャ・デバイスは第１のネットワーク・インフラストラクチャ・デバイスを含み、１つまたは複数のネットワーク・インフラストラクチャ・デバイスは第２のネットワーク・インフラストラクチャ・デバイスを含み、
移動セルラー通信デバイスは、ネットワーク管理情報の１つまたは複数の第１の部分を、第１のネットワーク・インフラストラクチャ・デバイスと交換するために、１つまたは複数のセルラー通信規格のうちの１つまたは複数を使用し、
移動セルラー通信デバイスは、第１のネットワーク・インフラストラクチャ・デバイスの１つまたは複数の管理およびサービスのために、ネットワーク管理情報の１つまたは複数の第１の部分のうちの１つまたは複数を使用し、
移動セルラー通信デバイスは、ネットワーク管理情報の１つまたは複数の第２の部分を、第２のネットワーク・インフラストラクチャ・デバイスと交換するために、１つまたは複数のセルラー通信規格のうちの１つまたは複数を使用し、
移動セルラー通信デバイスは、第２のネットワーク・インフラストラクチャ・デバイスの１つまたは複数の管理およびサービスのために、ネットワーク管理情報の１つまたは複数の第２の部分のうちの１つまたは複数を使用する、請求項８に記載の装置。
【請求項１０】
移動セルラー通信デバイスは、ネットワーク管理情報の１つまたは複数の部分のうちの１つまたは複数を、ネットワーク・インフラストラクチャ・デバイスとリアルタイムで交換するために、１つまたは複数のセルラー通信規格のうちの１つまたは複数を使用する、請求項１に記載の装置。
【発明の詳細な説明】
【技術分野】
【０００１】
本発明は、一般に無線通信に関し、より具体的には無線ネットワークの管理に関する。
【背景技術】
【０００２】
移動電話およびマルチメディア・デバイスの普及、ならびに加入者獲得競争に伴い、サービス・プロバイダは、無線ネットワーク・インフラストラクチャの管理効率の向上を望んでいる。無線ネットワークを管理および監視するためのシステムの１つに、無線ネットワークの保全性を運用および保守管理する、多数のネットワーク・インフラストラクチャ・デバイスの状況を監視する、運用保守管理センタ（「ＯＭＣ）」が含まれる。無線ネットワークの一例には、たとえば汎用パケット無線サービス（「ＧＰＲＳ」）ネットワークなどのセルラー・ネットワークが含まれる。
【０００３】
無線ネットワーク機器を監視およびサポートするために、運用保守管理センタにいるネットワーク技術者は、着信するネットワーク管理情報を分析し、ネットワーク・サービス内のどのような問題または非効率性をも診断する。ネットワーク・インフラストラクチャ・デバイスに問題が発生した場合、ネットワーク技術者に対して、誤動作を起こしているデバイスの現場に出向き、診断手順を実行し、結果を分析して、障害の根本的原因を特定するように要求することができる。システムの欠点の１つは、ネットワーク技術者が、診断およびサービス・タスクを実行するために、運用保守管理センタとネットワーク・インフラストラクチャ・デバイスの現場との間を移動しなければならないことに起因する、ネットワーク技術者が問題の解決に対応する際の遅れである。
【０００４】
システムの他の欠点は、ネットワーク技術者が問題の解決に対応する際のこの遅れにより、結果として、サービス・プロバイダにとっての収益損失が発生することである。収益損失は、特にピーク・トラフィック時には、かなり大きくなる可能性がある。ネットワーク・サービス・プロバイダは、ネットワーク要素に最大の可用性を持たせ、ネットワークのダウン・タイムを最小限にすることを望む。
【０００５】
運用保守管理センタにいるネットワーク技術者は、誤動作に気付くと、ネットワーク技術者が障害のあるネットワーク・インフラストラクチャ・デバイスの現場に移動する際に、現在のネットワーク状態に関する情報を収集し、問題を診断する際の一助とする。運用保守管理センタから離れると、ネットワーク技術者は、障害のあるネットワーク・インフラストラクチャ・デバイスに関して運用保守管理センタに存在する更新された情報にアクセスすることができない。ネットワーク・インフラストラクチャ・デバイスにかかる負荷は、高速に変化する性質を持つものであるため、ネットワーク技術者が収集した情報は、ネットワーク技術者がネットワーク・インフラストラクチャ・デバイスに到達しようと移動している間に、正確さを失ってしまう。システムの他の欠点は、ネットワーク技術者が、外部にあるネットワーク・インフラストラクチャ・デバイスから、運用保守管理センタの更新された情報を取得できないことである。
【０００６】
障害のあるネットワーク・インフラストラクチャ・デバイスの現場に到着すると、ネットワーク技術者は問題を診断し、修正することができる。場合によっては、たとえばソフトウェアまたはファームウェアの更新などの、ネットワーク・インフラストラクチャ・デバイスの電子的更新によって、問題を修正することができる。電子的更新が運用保守管理センタから通信パスを介して実行できる場合、障害のあるネットワーク・インフラストラクチャ・デバイスの現場にネットワーク技術者がいる必要があるのは、問題を識別する場合だけであって、問題を修正する場合には必要ない。したがって技術者は、障害のあるネットワーク・インフラストラクチャ・デバイスの現場に移動する必要なしに、問題を識別できることが望ましい。
【発明の開示】
【発明が解決しようとする課題】
【０００７】
したがって、ネットワーク・インフラストラクチャ・デバイスの問題を診断するために、ネットワーク技術者がセルラー・ネットワークのネットワーク・インフラストラクチャ・デバイスに物理的に存在することに関する要件を減らすことが求められている。
【課題を解決するための手段】
【０００８】
一実施形態では、本発明は装置を含む。装置には、１つまたは複数のネットワーク・インフラストラクチャ・デバイスのネットワーク管理情報の１つまたは複数の部分を、１つまたは複数のセルラー通信規格のうちの１つまたは複数で使用可能な、ネットワーク・インフラストラクチャ・デバイスと交換するために、１つまたは複数のセルラー通信規格を使用する、移動セルラー通信デバイスが含まれる。
【０００９】
本発明の他の実施形態は、方法を含む。ネットワーク・インフラストラクチャ・デバイスによって１つまたは複数のネットワーク管理手順を実行させるための要求を、移動セルラー通信デバイスからネットワーク・インフラストラクチャ・デバイスに向けて送るために、１つまたは複数のセルラー通信規格が使用される。
【００１０】
本発明の他の実施形態は、物品を含む。物品には、１つまたは複数のコンピュータ読取り可能信号搬送媒体が含まれる。物品は、ネットワーク・インフラストラクチャ・デバイスによって１つまたは複数のネットワーク管理手順を実行させるための要求を、移動セルラー通信デバイスからネットワーク・インフラストラクチャ・デバイスに向けて送るために、１つまたは複数の媒体において１つまたは複数のセルラー通信規格を使用するための手段を含む。
本発明の例示的実施形態の特徴は、説明、特許請求の範囲、および添付の図面から明らかになろう。
【発明を実施するための最良の形態】
【００１１】
図１を見ると、一例では、装置１００は、コンピュータ・ソフトウェアおよび／またはハードウェア構成要素などの、複数の構成要素を含む。いくつかのこうした構成要素は、装置１００内で組み合わせるかまたは分割することができる。装置１００の例示的構成要素は、当分野の技術者であれば理解されるように、いくつかのプログラミング言語のうちのいずれかで作成されるかまたは実施される、１組および／または一連のコンピュータ命令を使用し、かつ／または含む。
【００１２】
一例では、装置１００は、１つまたは複数の移動セルラー通信デバイス１０６、１つまたは複数の通信ネットワーク１０８、および１つまたは複数の外部ネットワーク１２０を含む。さらに、１人または複数のセルラー・ユーザ１０９は、移動セルラー通信デバイス１０６のうちの１つまたは複数を使用して、通信ネットワーク１０８の１つまたは複数のネットワーク・インフラストラクチャ・デバイスと通信する。一例では、セルラー・ユーザ１０９には、移動セルラー通信デバイス１０６を使用して通信ネットワーク１０８のネットワーク・インフラストラクチャ・デバイスに伴う問題の解決に努める、ネットワーク技術者が含まれる。他の例では、セルラー・ユーザ１０９には、移動セルラー通信デバイス１０６を使用して、本明細書に記載されるように通信ネットワーク１０８によって提供される１つまたは複数のサービスを受け取る、セルラー加入者が含まれる。
【００１３】
一例では、移動セルラー通信デバイス１０６は、セルラー電話および／または携帯用情報端末（「ＰＤＡ」）を含み、かつ／または第三世代（「３Ｇ」）セルラー通信規格および／またはユニバーサル移動電話システム（「ＵＭＴＳ」）規格で動作可能であって、どちらの規格も、３ｒｄ  Ｇｅｎｅｒａｔｉｏｎ  Ｐａｒｔｎｅｒｓｈｉｐ  Ｐｒｏｊｅｃｔ（ＥＴＳＩ、Ｓｏｐｈｉａ−Ａｎｔｉｐｏｌｉｓ  Ｃｅｄｅｘ、Ｆｒａｎｃｅ  ０６９２１、ｈｔｔｐ：／／ｗｗｗ．３ｇｐｐ．ｏｒｇ）によって開発された規格である。移動セルラー通信デバイス１０６は、セルラー・ユーザ１０９が通信ネットワーク１０８と通信できるようにする働きをする。一例では、移動セルラー通信デバイス１０６は、たとえばＵＭＴＳ規格などの、１つまたは複数のセルラー通信規格を使用して、通信ネットワーク１０８のネットワーク・インフラストラクチャ・デバイスのうちの１つまたは複数と、ネットワーク管理情報を交換する。
【００１４】
一例では、移動セルラー通信デバイス１０６は、ユーザ・インターフェースを含む。一例では、移動セルラー通信デバイス１０６のユーザ・インターフェースは、セルラー・ユーザ１０９が、通信ネットワーク１０８の１つまたは複数のネットワーク・インフラストラクチャ・デバイスを管理できるようにする働きをする。たとえば、移動セルラー通信デバイス１０６のインターフェースは、セルラー・ユーザ１０９が、診断テストの実行、ソフトウェアおよび／またはファームウェア構成要素のアップルグレードの実行、構成の変更、ならびに／あるいは、通信ネットワーク１０８のネットワーク・インフラストラクチャ・デバイスへのサービス提供を、行えるようにする働きをする。
【００１５】
移動セルラー通信デバイス１０６のユーザ・インターフェースは、１つまたは複数の表現、たとえばグラフィックス、テキスト、および／または音声を使用して、セルラー・ユーザ１０９にネットワーク管理情報を送る（たとえば提示する）。移動セルラー通信デバイス１０６のユーザ・インターフェースの例示的な構成要素は、１つまたは複数のディスプレイ１６２、１つまたは複数のキー１６４、１つまたは複数のスピーカ１６６、および１つまたは複数のマイクロフォン１６８を含む。一例では、移動セルラー通信デバイス１０６は、ユーザ・インターフェースを生成する、かつ／または容易にする働きをする、ソフトウェアを含む。一例では、移動セルラー通信デバイス１０６は、記録可能データ記憶媒体１０７のインスタンスを含む。たとえば、記録可能データ記憶媒体１０７は、移動セルラー通信デバイス１０６のソフトウェアを格納する働きをする。一例では、移動セルラー通信デバイス１０６のユーザ・インターフェースは、移動セルラー通信デバイス１０６の様々な実施において、ソフトウェアを実行可能にする、ソフトウェア・プログラミング言語を使用して作成される。移動セルラー通信デバイス１０６のユーザ・インターフェースを実施するためのプログラミング言語の例には、Ｓｕｎ  Ｍｉｃｒｏｓｙｓｔｅｍｓ，Ｉｎｃ（Ｓａｎｔａ  Ｃｌａｒａ、ＣＡ  ９５０５４、ｈｔｔｐ：／／ｗｗｗ．ｓｕｎ．ｃｏｍ）によって提供されるＪａｖａ（登録商標）、およびＭｉｃｒｏｓｏｆｔ  Ｃｏｒｐｏｒａｔｉｏｎ（Ｒｅｄｍｏｎｄ、ＷＡ、９８０５２、ｈｔｔｐ：／／ｗｗｗ．ｍｉｃｒｏｓｏｆｔ．ｃｏｍ）によって提供されるＶｉｓｕａｌ  Ｂａｓｉｃ（登録商標）が含まれる。
【００１６】
通信ネットワーク１０８の例示的ネットワーク・インフラストラクチャ・デバイスには、対応する無線ネットワーク・サブシステム（「ＲＮＳ」）１１０、１１２、および１１４の、無線ネットワーク・コントローラ（「ＲＮＣ」）１２２、１２４、および１２６と、無線端末１２８、１３０、１３２、１３４、および１３６、ならびに、１つまたは複数の移動交換局（「ＭＳＣ」）１４４、１つまたは複数のホーム・ロケーション・レジスタ（ＨＬＲ）１４６、１つまたは複数の汎用パケット無線サービス（「ＧＰＲＳ」）ゲートウェイ・サポート・ノード（「ＧＧＳＮ」）１４８、１つまたは複数の課金ゲートウェイ（「ＣＧｗ」）１５０、および１つまたは複数のサービス提供汎用パケット無線サービス・サポート・ノード（「ＳＧＳＮ」）１５２が含まれる。一例では通信ネットワーク１０８および／または移動セルラー通信デバイス１０６の１つまたは複数のネットワーク・インフラストラクチャ・デバイスは、本明細書に記載されるような１つまたは複数のプロシージャ１５６を含む。ネットワーク・インフラストラクチャ・デバイスのうちの１つまたは複数上の記録可能データ記憶媒体１０７および／または移動セルラー通信デバイス１０６のうちの１つまたは複数のインスタンスが、１つまたは複数のプロシージャ１５６を格納する働きをする。
【００１７】
一例では、通信ネットワーク１０８は、無線ネットワーク・サブシステム１１０、１１２、および／または１１４、１つまたは複数のネットワーク・インターフェース１１６、および／または１つまたは複数のコア・ネットワーク１１８を含む。一例では、通信ネットワーク１０８は、たとえばＵＭＴＳ規格を使用する、セルラー通信ネットワークを含む。一例では、無線ネットワーク・サブシステム１１０、１１２、および１１４は、ネットワーク・インフラストラクチャ・デバイスのうちの１つまたは複数を含む。たとえば、無線ネットワーク・サブシステム１１０、１１２、および１１４は、それぞれ、無線ネットワーク・コントローラ１２２、１２４、および１２６、ならびに無線端末１２８、１３０、１３２、１３４、および１３６のそれぞれのセットを含む。一例では、無線端末１２８、１３０、１３２、１３４、および１３６は、当分野の技術者であれば理解されるように、ＵＭＴＳノードＢを含む。
【００１８】
一例では、セルラー・ユーザ１０９は、移動セルラー通信デバイス１０６を使用して、通信ネットワーク１０８のネットワーク・インフラストラクチャ・デバイスと通信する。例示的通信には、管理および／またはサービス情報の交換が含まれる。セルラー・ユーザ１０９が、通信ネットワーク１０８のネットワーク・インフラストラクチャ・デバイスのうちの１つまたは複数に関して、移動セルラー通信デバイス１０６の使用を通じて実行する例示的タスクには、診断テスト、アップグレード、および再構成が含まれる。通信ネットワーク１０８の構成要素は協働して、本明細書に記載されるように、移動セルラー通信デバイス１０６と通信ネットワーク１０８のネットワーク・インフラストラクチャ・デバイスとの間で交換される情報に、通信パスを提供する。
【００１９】
他の例では、通信ネットワーク１０８は、移動セルラー通信デバイス１０６のセルラー・ユーザ１０９に、１つまたは複数のサービスを提供する働きをする。例示的なサービスには、音声サービス、データ・サービス、およびショート・メッセージ・サービス（「ＳＭＳ」）が含まれる。通信ネットワーク１０８の構成要素は協働して、サービスのコンテンツを通信ネットワーク１０８の構成要素を介して転送することによって、移動セルラー通信デバイス１０６に提供されたサービスに通信パスを提供する。たとえば、公衆交換電話網１５８から移動セルラー通信デバイス１０６を使用するセルラー加入者への音声呼は、公衆交換電話網１５８から、移動交換局１４４へ、ネットワーク交換１３８へ、無線ネットワーク・コントローラ１２２へ、無線端末１２８へ、そして最後に移動セルラー通信デバイス１０６へ、という通信パスをたどる。コンピュータ（図示せず）、たとえばインターネット１６０の構成要素からのデータ伝送は、インターネット１６０から、ＧＰＲＳゲートウェイ・サポート・ノード１４８へ、サービス側ＧＰＲＳサポート・ノード１５２へ、ネットワーク交換１４０へ、無線ネットワーク・コントローラ１２２へ、無線端末１２８へ、そして最後に移動セルラー通信デバイス１０６へ、という通信パスをたどる。
【００２０】
一例では、無線ネットワーク・サブシステム１１０の無線ネットワーク・コントローラ１２２による管理の下、無線端末１２８は、移動セルラー通信デバイス１０６と同期をとる働きをする。移動セルラー通信デバイス１０６の、無線端末１２８、１３０、１３２、１３４、または１３６のうちの１つとの同期化は、無線端末１２８、１３０、１３２、１３４、または１３６と移動セルラー通信デバイス１０６との間の、電磁放射信号を介した直接通信を可能にする。一例では、移動セルラー通信デバイス１０６が、信号強度および信号保全性などの要因に基づいた同期化のために、無線端末１２８、１３０、１３２、１３４、または１３６のうちの１つを選択する。
【００２１】
移動セルラー通信デバイス１０６のセルラー・ユーザ１０９が、無線ネットワーク・サブシステム１１０、１１２、および１１４のサービス対象領域すべてにわたって動き回る間、移動セルラー通信デバイス１０６は、無線端末１２８、１３０、１３２、１３４、または１３６のうちの様々なものと同期をとる。当分野で知られた技術者であれば理解されるように、セルラー・ユーザ１０９が、アクティブな通信セッション中に、通信ネットワーク１０８から１つまたは複数のサービスを受け取る場合、無線端末１２８、１３０、１３２、１３４、および１３６は、セルラー・ユーザ１０９の通信セッションをハンドオフする。一例では、セルラー・ユーザ１０９の通信セッションは、公衆交換電話網１５８の構成要素からの進行中の音声呼を含む。他の例では、セルラー・ユーザ１０９の通信セッションは、たとえばインターネット１６０の構成要素などのコンピュータ（図示せず）からの、進行中のデータ伝送を含む。
【００２２】
一例では、ネットワーク・インターフェース１１６は、１つまたは複数のネットワーク交換１３８および／または１４０を含む。一例では、ネットワーク交換１３８および／または１４０は、それぞれ非同期転送モード（「ＡＴＭ」）交換を含む。一例では、ネットワーク交換１４０は、たとえば、３ｒｄ  Ｇｅｎｅｒａｔｉｏｎ  Ｐａｒｔｎｅｒｓｈｉｐ  Ｐｒｏｊｅｃｔ（ＥＴＳＩ、Ｓｏｐｈｉａ−Ａｎｔｉｐｏｌｉｓ  Ｃｅｄｅｘ、Ｆｒａｎｃｅ  ０６９２１、ｈｔｔｐ：／／ｗｗｗ．３ｇｐｐ．ｏｒｇ）によって開発された、汎用パケット無線サービス・トンネリング・プロトコル（「ＧＴＰ＋ＩＰ」）などの、インターフェース・プロトコル１４２を使用する。一例では、インターフェース・プロトコル１４２は、無線ネットワーク・サブシステム１１０、１１２、および１１４と、コア・ネットワーク１１８の一部との間の通信を容易にする（たとえば、１つまたは複数の通信パスを提供する）働きをする。
【００２３】
一例では、コア・ネットワーク１１８は、移動交換局１４４、ホーム・ロケーション・レジスタ１４６、汎用パケット無線サービス・ゲートウェイ・サポート・ノード１４８、課金ゲートウェイ１５０、およびサービス側汎用パケット無線サービス・サポート・ノード１５２を含む。一例では、コア・ネットワーク１１８は、セルラー・ユーザ１０９のセルラー加入者情報を編成し、セルラー・ユーザ１０９に関する課金請求を処理し、かつ／または、
【００２４】
たとえば、セルラー・ユーザ１０９と外部ネットワーク１２０の地上通信線電話（図示せず）のユーザとの間で、電話呼を送るために、外部ネットワーク１２０への通信パスを提供する。
【００２５】
一例では、移動交換局１４４は、外部ネットワーク１２０と移動セルラー通信デバイス１０６との間の回路交換通信セッションのための、ルーティングおよび／またはアクセス・ポイントとして働く。一例では、ホーム・ロケーション・レジスタ１４６は、移動セルラー通信デバイス１０６のセルラー・ユーザ１０９に関する、サービス・プロファイルおよび／またはアカウント情報を格納する働きをする。一例では、ＧＰＲＳゲートウェイ・サポート・ノード１４８は、外部ネットワーク１２０と移動セルラー通信デバイス１０６との間のパケット交換通信セッションのための、ルーティングおよび／またはアクセス・ポイントとして働く。一例では、課金ゲートウェイ１５０は、通信ネットワーク１０８のセルラー加入者（図示せず）に関する課金を管理する働きをする。一例では、サービス側ＧＰＲＳサポート・ノード１５２は、無線ネットワーク・サブシステム１１０、１１２、および１１４と外部ネットワーク１２０との間のパケット交換通信セッションのためのルーティングおよび／またはアクセス・ポイントとして働く。一例では、ＧＰＲＳゲートウェイ・サポート・ノード１４８およびサービスＧＰＲＳサポート・ノード１５２は、ＧＰＲＳゲートウェイ・サポート・ノード１４８とサービス側ＧＰＲＳサポート・ノード１５２との間の通信を容易にするために、インターフェース・プロトコル１５４を使用する。一例では、インターフェース・プロトコル１５４は、汎用パケット無線サービス・トンネリング・プロトコルを含む。
【００２６】
一例では、プロシージャ１５６は、移動セルラー通信デバイス１０６がネットワーク管理情報を交換する相手である、通信ネットワーク１０８のネットワーク・インフラストラクチャ・デバイスの管理に関する。たとえば一例では、プロシージャ１５６は、移動セルラー通信デバイス１０６がネットワーク管理情報を交換する相手である、ネットワーク・インフラストラクチャ・デバイスに関する、統計の検索、診断、構成、およびアップグレードのプロシージャに関する。他の例では、プロシージャ１５６は、移動セルラー通信デバイス１０６がネットワーク管理情報を交換する相手である、ネットワーク・インフラストラクチャ・デバイスと、通信ネットワーク１０８の１つまたは複数の追加のネットワーク・インフラストラクチャ・デバイスとの関係に関する。一例では、移動セルラー通信デバイス１０６がネットワーク管理情報を交換する相手である、ネットワーク・インフラストラクチャ・デバイスと、通信ネットワーク１０８の１つまたは複数の追加のネットワーク・インフラストラクチャ・デバイスとの関係は、共用インターフェースの状況および／または使用可能帯域幅を含む。一例では、移動セルラー通信デバイス１０６がネットワーク管理情報を交換する相手である、ネットワーク・インフラストラクチャ・デバイスは、たとえば、構成ファイル、使用履歴、および／または現在のシステム状況などの１つまたは複数の結果を生成するために、プロシージャ１５６を実行する。他の例では、プロシージャ１５６の１つまたは複数は、たとえば、格納するソフトウェア更新および／または検索する統計などの、実行のための１つまたは複数のパラメータを必要とする。
【００２７】
移動セルラー通信デバイス１０６のユーザ・インターフェースは、移動セルラー通信デバイス１０６がネットワーク管理情報を交換する相手である、ネットワーク・インフラストラクチャ・デバイスに関する、１つまたは複数の使用可能プロシージャ１５６のリスト（図示せず）を送る。一例では、使用可能プロシージャ１５６は、移動セルラー通信デバイス１０６および／または通信ネットワーク１０８のネットワーク・インフラストラクチャ・デバイスのプロシージャ１５６の一部を含む。他の例では、セルラー・ユーザ１０９および／または移動セルラー通信デバイス１０６は、移動セルラー通信デバイス１０６および／または通信ネットワーク１０８のネットワーク・インフラストラクチャ・デバイスのどちらのプロシージャ１５６が使用可能プロシージャ１５６を含むかを選択する。一例では、移動セルラー通信デバイス１０６のユーザ・インターフェースは、セルラー・ユーザ１０９が、使用可能プロシージャ１５６のリスト（図示せず）から選択されたプロシージャ１５６を選択できるようにするものである。一例では、移動セルラー通信デバイス１０６は、ネットワーク・インフラストラクチャ・デバイスに対して、選択されたプロシージャ１５６を実行するように要求する。他の例では、移動セルラー通信デバイス１０６のユーザ・インターフェースは、選択されたプロシージャ１５６の実行から得られた結果を、セルラー・ユーザ１０９に提示する。他の例では、移動セルラー通信デバイス１０６のユーザ・インターフェースは、セルラー・ユーザ１０９が、１つまたは複数の選択されたプロシージャ１５６のうちの１つまたは複数を実行するために、１つまたは複数のパラメータを入力できるようにするものである。
【００２８】
一例では、移動セルラー通信デバイス１０６のセルラー・ユーザ１０９からの要求は、プロシージャ１５６の実行を起動する働きをする。一例では、移動セルラー通信デバイス１０６と通信ネットワーク１０８のネットワーク・インフラストラクチャ・デバイスとの間で交換されるネットワーク管理情報は、プロシージャ１５６を実行する要求、プロシージャ１５６のそれぞれのパラメータ、および、プロシージャ１５６によって生成された結果の移動セルラー通信デバイス１０６への戻りを含む。一例では、移動セルラー通信デバイス１０６のユーザ・インターフェースは、それぞれのパラメータおよびプロシージャ１５６の結果を生成する働きをする。移動セルラー通信デバイスで１０６のユーザ・インターフェースは、本明細書に記載されるような、通信ネットワーク１０８のネットワーク・インフラストラクチャ・デバイスの１つまたは複数のプロシージャ１５６のうちの１つまたは複数を選択するために、セルラー・ユーザ１０９が１つまたは複数のテキスト、グラフィック、および音声のインターフェースを使用できるようにするものである。
【００２９】
一例では、外部ネットワーク１２０は、１つまたは複数のネットワーク、たとえば、１つまたは複数の公衆交換電話網（「ＰＳＴＮ」）１５８、インターネット１６０、１つまたは複数のサービス総合デジタル網（「ＩＳＤＮ」）（図示せず）、１つまたは複数のイントラネット（図示せず）、および／または１つまたは複数のインターネット・サービス・プロバイダ（「ＩＳＰ」）（図示せず）を含む。一例では、外部ネットワーク１２０は、たとえば、音声呼の場合は公衆交換電話網１５８を、またはＷｏｒｌｄ  Ｗｉｄｅ  Ｗｅｂブラウジングの場合はインターネット１６０を接続することによって、移動セルラー通信デバイス１０６に提供されるサービスにコンテンツを提供する働きをする。
【００３０】
説明のために、装置１００の例示的なオペレーションの例示的な説明が提示される。セルラー・ユーザ１０９が移動セルラー通信デバイス１０６を使用して、移動セルラー通信デバイス１０６からの直接通信パスによってアクセスできないネットワーク管理情報を、通信ネットワーク１０８のネットワーク・インフラストラクチャ・デバイスと交換することを望む場合、通信ネットワーク１０８を含むネットワーク・インフラストラクチャ・デバイスは、協働して、ネットワーク管理情報を適切なネットワーク・インフラストラクチャ・デバイスに転送する。たとえば、セルラー・ユーザ１０９は、無線ネットワーク・コントローラ１２２とネットワーク管理情報を交信するために、移動セルラー通信デバイス１０６を使用することを望む。移動セルラー通信デバイス１０６は、たとえば無線端末１２８などの無線端末と同期をとる。移動セルラー通信デバイス１０６は、ネットワーク管理情報を無線端末１２８に送る。無線端末１２８は、よく知られた転送技法を使用して、ネットワーク管理情報が無線ネットワーク・コントローラ１２２向けであることを特定する。無線端末１２８は、ネットワーク管理情報を無線ネットワーク・コントローラ１２２に転送することによって協働する。
【００３１】
通信ネットワーク１０８のネットワーク・インフラストラクチャ・デバイスの協働により、移動セルラー通信デバイス１０６のセルラー・ユーザ１０９は、ネットワーク管理情報をネットワーク・インターフェース１１６、コア・ネットワーク１１８、および／または外部ネットワーク１２０を介して転送させることによって、地理的に離れたネットワーク・インフラストラクチャ・デバイスとの交換に参加することができる。移動セルラー通信デバイス１０６および通信ネットワーク１０８を含むネットワーク・インフラストラクチャ・デバイスは、通信ネットワーク１０８によって提供される１つまたは複数のサービスと同じ伝送プロトコルを使用して通信し、これによってネットワーク管理情報がリアルタイムで交換可能になる。
【００３２】
無線端末１２８上で診断テストを実行するために、一例では、セルラー・ユーザ１０９は、移動セルラー通信デバイス１０６を使用して、無線端末１２８とネットワーク管理情報を交換する。移動セルラー通信デバイス１０６は、無線端末１２８と同期をとり、移動セルラー通信デバイス１０６と無線端末１２８との間の通信のために、無線インターフェースを提供する。一例では、ネットワーク管理情報は、実行される診断テストに対応する無線端末１２８上で、プロシージャ１５６を実行するための要求を含む。移動セルラー通信デバイス１０６は、ネットワーク管理情報を無線端末１２８に送る。無線端末１２８は、ネットワーク管理情報を受け取り、プロシージャ１５６を実行する。他の例では、無線端末１２８は、プロシージャ１５６によって生成された結果を、移動セルラー通信デバイス１０６に送る。
【００３３】
他の例では、セルラー・ユーザ１０９は、移動セルラー通信デバイス１０６を使用して、無線ネットワーク・コントローラ１２２とネットワーク管理情報を交換する。一例では、移動セルラー通信デバイス１０６は、ネットワーク管理情報を無線端末１２８に送り、無線端末１２８はネットワーク管理情報を無線ネットワーク・コントローラ１２２に転送する。交換を往復させるために、無線ネットワーク・コントローラ１２２は、ネットワーク管理情報を無線端末１２８に送り、無線端末１２８はネットワーク管理情報を移動セルラー通信デバイス１０６に転送する。
【００３４】
無線端末１３０のアップグレードを実行するために、一例では、セルラー・ユーザ１０９は移動セルラー通信デバイス１０６を使用して、無線端末１３０とネットワーク管理情報を交換する。移動セルラー通信デバイス１０６は、無線端末１２８と同期をとり、移動セルラー通信デバイス１０６と無線端末１２８との間に通信用の無線インターフェースを提供する。一例では、ネットワーク管理情報には、実行されるアップグレード・アクションに対応する無線端末１３０のプロシージャ１５６を実行するための要求が含まれる。プロシージャ１５６の実行により、更新情報の一部、たとえば新しいソフトウェア・プログラムが、無線端末１３０に格納される。一例では、更新情報はプロシージャ１５６に対するパラメータである。ネットワーク管理情報には、プロシージャ１５６に対するパラメータが含まれる。移動セルラー通信デバイス１０６は、ネットワーク管理情報を無線端末１２８に送る。無線端末１２８は、ネットワーク管理情報を管理側無線ネットワーク・コントローラ１２２に転送する。管理側無線ネットワーク・コントローラ１２２は、ネットワーク管理情報を無線端末１３０に転送する。無線端末１３０はネットワーク管理情報を受け取り、プロシージャ１５６を実行する。他の例では、無線端末１３０は、プロシージャ１５６によって生成された結果を、無線端末１３０から無線ネットワーク・コントローラ１２２へ、無線端末１２８へ、そして最終的には移動セルラー通信デバイス１０６へという、反対向きのパスを介して、移動セルラー通信デバイス１０６に戻す。
【００３５】
無線ネットワーク・コントローラ１２４上で診断テストを実行するために、一例では、セルラー・ユーザ１０９は移動セルラー通信デバイス１０６を使用して、ネットワーク管理情報を無線ネットワーク・コントローラ１２４と交換する。移動セルラー通信デバイス１０６は、無線端末１２８と同期をとり、移動セルラー通信デバイス１０６と無線端末１２８との間で通信するための無線インターフェースを提供する。ネットワーク管理情報には、実行する診断テストに対応する、無線ネットワーク・コントローラ１２４のプロシージャ１５６を実行するための要求が含まれる。移動セルラー通信デバイス１０６は、ネットワーク管理情報を無線端末１２８に送る。次に無線端末１２８は、ネットワーク管理情報を無線ネットワーク・コントローラ１２２に転送する。次に無線ネットワーク・コントローラ１２２は、ネットワーク管理情報を無線ネットワーク・コントローラ１２４に転送する。無線ネットワーク・コントローラ１２４は、ネットワーク管理情報を受け取って、プロシージャ１５６を実行する。次に無線ネットワーク・コントローラ１２４は、プロシージャ１５６によって生成された結果を、無線ネットワーク・コントローラ１２４から無線ネットワーク・コントローラ１２２へ、無線端末１２８へ、そして最終的には移動セルラー通信デバイス１０６へという、反対向きのパスを介して、移動セルラー通信デバイス１０６に送る。
【００３６】
サービス側ＧＰＲＳサポート・ノード１５２または無線ネットワーク・コントローラ１２６を再構成するために、セルラー・ユーザ１０９は、移動セルラー通信デバイス１０６を使用して、サービス側ＧＰＲＳサポート・ノード１５２または無線ネットワーク・コントローラ１２６と、ネットワーク管理情報を交換する。移動セルラー通信デバイス１０６は、無線端末１２８と同期をとり、移動セルラー通信デバイス１０６と無線端末１２８との間で通信するための無線インターフェースを提供する。ネットワーク管理情報には、実行される再構成プロシージャに対応する、無線ネットワーク・コントローラ１２４のプロシージャ１５６を実行するための要求が含まれる。
【００３７】
プロシージャ１５６の実行は、たとえば、更新されたエントリを使用してルーティング・テーブルを修正することにより、サービス側ＧＰＲＳサポート・ノード１５２または無線ネットワーク・コントローラ１２６を再構成する。一例では、更新されたエントリは、プロシージャ１５６に対するパラメータである。ネットワーク管理情報には、プロシージャ１５６に対するパラメータが含まれる。移動セルラー通信デバイス１０６は、ネットワーク管理情報を無線端末１２８に送り、これがネットワーク管理情報を無線ネットワーク・コントローラ１２２に転送し、これがネットワーク管理情報をネットワーク交換１４０に転送する。次に、ネットワーク交換１４０は、ネットワーク管理情報をそれぞれの宛先に転送する。サービス側ＧＰＲＳサポート・ノード１５２または無線ネットワーク・コントローラ１２６は、ネットワーク管理情報を受け取って、プロシージャ１５６を実行する。他の例では、サービス側ＧＰＲＳサポート・ノード１５２または無線ネットワーク・コントローラ１２６は、プロシージャ１５６によって生成された結果を、サービス側ＧＰＲＳサポート・ノード１５２または無線ネットワーク・コントローラ１２６から、ネットワーク交換１４０へ、無線ネットワーク・コントローラ１２２へ、無線端末１２８へ、移動セルラー通信デバイス１０６へという反対向きのパスを介して、移動セルラー通信デバイス１０６に送る。移動セルラー通信デバイス１０６は、類似した転送を使用して、コア・ネットワーク１１８または無線ネットワーク・サブシステム１１０、１１２、または１１４の任意のネットワーク・インフラストラクチャ・デバイスと、ネットワーク管理情報を交換することができる。
【００３８】
一例では、セルラー・ユーザ１０９は、移動セルラー通信デバイス１０６を使用して、通信ネットワーク１０８内の任意のデバイスとネットワーク管理情報を交換する。たとえば、ネットワーク交換１３８は、移動セルラー通信デバイス１０６、コア・ネットワーク１１８、または無線ネットワーク・サブシステム１１０、１１２、および１１４内で始まるかまたは終わっていない通信を交換する働きをする。一例では、セルラー・ユーザ１０９は、移動セルラー通信デバイス１０６を使用し、知られた通信プロトコルを使用して、ネットワーク交換１３８とネットワーク管理情報を交換する。移動セルラー通信デバイス１０６によって管理可能な例示的デバイスには、外部ネットワーク１２０の構成要素および／またはサブコンポーネント、たとえば、公衆交換電話網１５８またはインターネット１６０、および当分野の技術者であれば理解される他のものが含まれる。
【００３９】
一例では、外部ネットワーク１２０は、通信ネットワーク１０８の複数のインスタンスを接続する働きをする。通信ネットワーク１０８の第２のインスタンスのＧＰＲＳゲートウェイ・サポート・ノード１４８と、ネットワーク管理情報を交換するために、通信ネットワーク１０８の第１のインスタンスの移動セルラー通信デバイス１０６のセルラー・ユーザ１０９は、外部ネットワーク１２０を介してネットワーク管理情報を送る。たとえば、通信ネットワーク１０８の第１のインスタンスの移動セルラー通信デバイス１０６は、ネットワーク管理情報を無線端末１２８に送る。無線端末１２８は、ネットワーク管理情報を無線ネットワーク・コントローラ１２２に転送する。無線ネットワーク・コントローラ１２２は、ネットワーク管理情報をネットワーク交換１４０に転送する。ネットワーク交換１４０は、ネットワーク管理情報をサービス側ＧＰＲＳサポート・ノード１５２に転送する。サービス側ＧＰＲＳサポート・ノード１５２は、ネットワーク管理情報をＧＰＲＳゲートウェイ・サポート・ノード１４８に転送する。ＧＰＲＳゲートウェイ・サポート・ノードは、ネットワーク管理情報をインターネット１６０に転送する。インターネット１６０は、ネットワーク管理情報を、通信ネットワーク１０８の第２のインスタンスのＧＰＲＳゲートウェイ・サポート・ノード１４８に転送する。
【００４０】
一例では、装置１００は、１つまたは複数のコンピュータ読取り可能信号搬送媒体を使用する。装置１００用のコンピュータ読取り可能信号搬送媒体の一例には、磁気、電気、光、生物学、および原子のデータ記憶媒体のうちの１つまたは複数などの、記録可能データ記憶媒体１０７のインスタンスが含まれる。他の例では、装置１００用のコンピュータ読取り可能信号搬送媒体には、装置１００を含むかまたはこれに結合されたネットワーク、たとえば、電話網、ローカル・エリア・ネットワーク（「ＬＡＮ」）、インターネット、および無線ネットワークのうちの１つまたは複数を介して伝送される、変調搬送波信号が含まれる。
【００４１】
本明細書に記載された工程またはオペレーションは、単なる例に過ぎない。本発明の精神を逸脱することなく、これらの工程またはオペレーションの多くの変形形態が可能である。たとえば、工程は異なる順序で実行可能であるか、あるいは工程の追加、削除、または修正が可能である。
【００４２】
以上、本発明の例示的な実施について、本明細書で詳細に記述および説明してきたが、当分野の技術者であれば、本発明の精神を逸脱することなく、様々な修正、追加、置換などが可能であり、したがってこれらは、添付の特許請求の範囲で定義される本発明の範囲内にあるものとみなされることが明らかになろう。
【図面の簡単な説明】
【００４３】
【図１】１つまたは複数の移動セルラー通信デバイスと、１つまたは複数の通信ネットワークと、１つまたは複数の通信ネットワークの１つまたは複数のネットワーク・インフラストラクチャ・デバイスと通信するために、１つまたは複数の移動セルラー通信デバイスを使用する、一人または複数のセルラー・ユーザを備えた１つまたは複数の外部ネットワークとを含む、装置の一例を示す図である。
【図１】
2004304805.tif 000003